(57)【要約】  本発明によれば、出力要求時間帯における出力要求電力ＰＤＥＭ［Ｗ］の時間関数であるＸ（ｔ）を取得する取得部（１１）と、電力需要家毎に、出力要求に応じて蓄電システムから出力できる最大電力量ＰＨＭＡＸ［Ｗｈ］を決定する最大電力量決定部（１２）と、電力需要家毎に、出力要求に応じて蓄電システムから出力できる最大電力ＰＭＡＸ［Ｗ］を決定する最大電力決定部（１３）と、電力需要家毎に、出力要求に応じて蓄電システムから出力させる出力電力ＰＲＥＳ［Ｗ］の時間関数としてａ×Ｘ（ｔ）を決定し、ＰＨＭＡＸで表される第１の条件、ＰＭＡＸで表される第２の条件、及び、第３の条件である「０≦ａ≦１」を満たすように、ａの値を決定する出力電力決定部（１４）と、を有する電力制御装置（１０）が提供される。
2018230019.tif 000002
【特許請求の範囲】
【請求項１】
出力要求時間帯における出力要求電力ＰＤＥＭ［Ｗ］の時間関数であるＸ（ｔ）を取得する取得手段と、
電力需要家毎に、出力要求に応じて蓄電システムから出力できる最大電力量ＰＨＭＡＸ［Ｗｈ］を決定する最大電力量決定手段と、
前記電力需要家毎に、出力要求に応じて前記蓄電システムから出力できる最大電力ＰＭＡＸ［Ｗ］を決定する最大電力決定手段と、
前記電力需要家毎に、出力要求に応じて前記蓄電システムから出力させる出力電力ＰＲＥＳ［Ｗ］の時間関数としてａ×Ｘ（ｔ）を決定し、ＰＨＭＡＸで表される第１の条件、ＰＭＡＸで表される第２の条件、及び、第３の条件である「０≦ａ≦１」を満たすように、ａの値を決定する出力電力決定手段と、
を有する電力管理システム。
【請求項２】
請求項１に記載の電力管理システムにおいて、
前記最大電力量決定手段は、
前記電力需要家毎に、前記蓄電システムの充電スケジュールと前記電力需要家各々の放電スケジュールとに基づき前記出力要求時間帯の終了時点以降の所定のタイミングにおける前記蓄電システムの充電電力量［Ｗｈ］の予測値を算出し、前記予測値をＰＨＭＡＸとして決定する電力管理システム。
【請求項３】
請求項２に記載の電力管理システムにおいて、
前記最大電力量決定手段は、
前記出力要求時間帯の終了時点における前記蓄電システムの充電電力量の予測値をＰＨＭＡＸとして決定する電力管理システム。
【請求項４】
請求項１から３のいずれか１項に記載の電力管理システムにおいて、
前記蓄電システムの定格出力［Ｗ］をＲ、前記放電スケジュールで示される前記電力需要家の消費電力ＰＣＯＮ［Ｗ］の時間関数をＹ（ｔ）とした場合、
前記最大電力決定手段は、Ｒ−Ｙ（ｔ）をＰＭＡＸとして決定する電力管理システム。
【請求項５】
請求項１から４のいずれか１項に記載の電力管理システムにおいて、
前記出力要求時間帯の開始時点をｔ０、終了時点をｔ１とした場合、
前記出力電力決定手段は、前記電力需要家毎に、前記第１の条件である「ｔ＝ｔ０からｔ＝ｔ１までのａ×Ｘ（ｔ）の積分値がＰＨＭＡＸ以下」を満たすようにａの値を決定する電力管理システム。
【請求項６】
請求項１から５のいずれか１項に記載の電力管理システムにおいて、
前記出力電力決定手段は、前記出力要求時間帯に含まれる複数の子時間帯毎に、ａ×Ｘ（ｔ）の統計値、及び、ＰＭＡＸの統計値を算出し、前記第２の条件である「すべての前記子時間帯において、ａ×Ｘ（ｔ）の統計値がＰＭＡＸの統計値以下」を満たすようにａの値を決定する電力管理システム。
【請求項７】
請求項１から５のいずれか１項に記載の電力管理システムにおいて、
前記出力電力決定手段は、前記第２の条件である「すべての時間において、ａ×Ｘ（ｔ）がＰＭＡＸ以下」を満たすようにａの値を決定する電力管理システム。
【請求項８】
請求項１から７のいずれか１項に記載の電力管理システムにおいて、
前記出力電力決定手段は、第４の条件である「複数の前記電力需要家各々のａの値の合計が１以下」を満たすようにａの値を決定する電力管理システム。
【請求項９】
請求項１から８のいずれか１項に記載の電力管理システムにおいて、
前記出力電力決定手段は、前記電力需要家毎に、前記第１の条件乃至前記第３の条件を満たす最大の値ａＭＡＸをａの値として決定する電力管理システム。
【請求項１０】
請求項９に記載の電力管理システムにおいて、
前記出力電力決定手段は、複数の前記電力需要家各々のａＭＡＸの合計が１を超える場合、前記電力需要家のａの値をｋ×ａＭＡＸ（０＜ｋ＜１）に決定し、ｋの値をすべての前記電力需要家において共通とする電力管理システム。
【請求項１１】
請求項９に記載の電力管理システムにおいて、
前記出力電力決定手段は、複数の前記電力需要家各々のａＭＡＸの合計が１を超える場合、前記電力需要家のａの値をｋ×ａＭＡＸ（０＜ｋ＜１）に決定し、優先度の相対的に高い前記電力需要家のｋの値を優先度の相対的に低い前記電力需要家のｋの値よりも大きくする電力管理システム。
【請求項１２】
請求項９に記載の電力管理システムにおいて、
前記出力電力決定手段は、複数の前記電力需要家各々のａＭＡＸの合計が１を超える場合、優先度の相対的に高い一部の前記電力需要家のａの値としてａＭＡＸを決定し、残りの前記電力需要家のａの値として０を決定する電力管理システム。
【請求項１３】
請求項１から１２のいずれか１項に記載の電力管理システムにおいて、
前記取得手段と、前記出力電力決定手段の一部機能を有する第１の出力電力決定手段とを有する電力制御装置と、
前記最大電力量決定手段と、前記最大電力決定手段と、前記出力電力決定手段の一部機能を有する第２の出力電力決定手段とを有する複数の電力需要家システムと、
を有する電力管理システム。
【請求項１４】
出力要求時間帯における出力要求電力ＰＤＥＭ［Ｗ］の時間関数であるＸ（ｔ）を取得する取得手段と、
電力需要家毎に、出力要求に応じて蓄電システムから出力できる最大電力量ＰＨＭＡＸ［Ｗｈ］を決定する最大電力量決定手段と、
前記電力需要家毎に、出力要求に応じて前記蓄電システムから出力できる最大電力ＰＭＡＸ［Ｗ］を決定する最大電力決定手段と、
前記電力需要家毎に、出力要求に応じて前記蓄電システムから出力させる出力電力ＰＲＥＳ［Ｗ］の時間関数としてａ×Ｘ（ｔ）を決定し、ＰＨＭＡＸで表される第１の条件、ＰＭＡＸで表される第２の条件、及び、第３の条件である「０≦ａ≦１」を満たすように、ａの値を決定する出力電力決定手段と、
を有する電力制御装置。
【請求項１５】
コンピュータが、
出力要求時間帯における出力要求電力ＰＤＥＭ［Ｗ］の時間関数であるＸ（ｔ）を取得する取得工程と、
電力需要家毎に、出力要求に応じて蓄電システムから出力できる最大電力量ＰＨＭＡＸ［Ｗｈ］を決定する最大電力量決定工程と、
前記電力需要家毎に、出力要求に応じて前記蓄電システムから出力できる最大電力ＰＭＡＸ［Ｗ］を決定する最大電力決定工程と、
前記電力需要家毎に、出力要求に応じて前記蓄電システムから出力させる出力電力ＰＲＥＳ［Ｗ］の時間関数としてａ×Ｘ（ｔ）を決定し、ＰＨＭＡＸで表される第１の条件、ＰＭＡＸで表される第２の条件、及び、第３の条件である「０≦ａ≦１」を満たすように、ａの値を決定する出力電力決定工程と、
を実行する電力管理方法。
【請求項１６】
コンピュータを、
出力要求時間帯における出力要求電力ＰＤＥＭ［Ｗ］の時間関数であるＸ（ｔ）を取得する取得手段、
電力需要家毎に、出力要求に応じて蓄電システムから出力できる最大電力量ＰＨＭＡＸ［Ｗｈ］を決定する最大電力量決定手段、
前記電力需要家毎に、出力要求に応じて前記蓄電システムから出力できる最大電力ＰＭＡＸ［Ｗ］を決定する最大電力決定手段、
前記電力需要家毎に、出力要求に応じて前記蓄電システムから出力させる出力電力ＰＲＥＳ［Ｗ］の時間関数としてａ×Ｘ（ｔ）を決定し、ＰＨＭＡＸで表される第１の条件、ＰＭＡＸで表される第２の条件、及び、第３の条件である「０≦ａ≦１」を満たすように、ａの値を決定する出力電力決定手段、
として機能させるプログラム。
【発明の詳細な説明】
【技術分野】
【０００１】
本発明は、電力管理システム、電力制御装置、電力管理方法及びプログラムに関する。
【背景技術】
【０００２】
特許文献１には、エネルギーのデマンドレスポンスに関する技術が開示されている。当該技術では、アグリゲータが複数の電力需要家のエネルギーを集中管理する。そして、アグリゲータは、自身と電力需要家の双方の利益が確保できるように、デマンドレスポンスの計画を決定する。【０００３】
特許文献２には、電力需要家各々の需給予測に基づいて電力の余剰／不足を判断し、判断結果に基づいて電力単価を調整することで需給バランスを調整する技術が開示されている。具体的には、余剰量又は不足量に変換係数を乗じた値を電力単価調整額として算出し、これを所定の配分比で需要家に配分する。そして、基準単価と配分された電力単価調整額とに基づき電力単価を設定する。【０００４】
特許文献３には、需要家負荷量（需要家により消費される電力量）及び需要家発電量（需要家により発電される電力量）を予測することが開示されている。【０００５】
特許文献４には、電力事業者から要求される消費電力の削減量に対して、電力需要家から申請された削減量が不足する場合、代替手段を選定する技術が開示されている。当該技術では、例えば、発電機による電力の調達価格と、電力取引市場における電力の調達価格とを比較し、調達価格の低い代替手段を選定する。
【先行技術文献】
【特許文献】
【０００６】
【特許文献１】特開２０１６−１７０６４７号公報
【特許文献２】特開２０１６−４６９２２号公報
【特許文献３】特開２０１６−２５８２９号公報
【特許文献４】特開２０１４−１６４７２９号公報
【発明の概要】
【発明が解決しようとする課題】
【０００７】
電気事業者からの出力要求に応じて、電力需要家の蓄電システムから電力系統に電力を供給するデマンドレスポンスにおいて、以下のような課題を見出した。【０００８】
電気事業者は、例えば、電力を出力してもらう時間帯（以下、「出力要求時間帯」）及び当該時間帯における出力要求電力［Ｗ］の時間変化等を指定して出力要求を行う。ここで、出力要求の全てに応じてもらえず、一部のみに応じてもらえる場合、問題が発生し得る。【０００９】
例えば、出力要求時間帯の中で、出力要求に応じてもらえる時間帯、及び、出力要求に応じてもらえない時間帯が発生し得る。また、出力要求に応じてもらえる時間帯の中でも、出力要求に応じてもらえる割合（出力要求電力の内の要求に応じてもらえる電力の割合）が異なり得る。【００１０】
この場合、出力要求に応じてもらえず残った電力（残分）の時間変化は不規則となり、急激な増加や減少を含み得る。残分に対する出力をいずれかの発電システムで行う必要があるが、急激な増加や減少を含み得る残分に応じた出力制御は困難となる。【００１１】
本発明は、電気事業者からの出力要求の一部に応じる場合に残分に対する出力制御が困難になる不都合を抑制することを課題とする。
【課題を解決するための手段】
【００１２】
本発明によれば、
出力要求時間帯における出力要求電力ＰＤＥＭ［Ｗ］の時間関数であるＸ（ｔ）を取得する取得手段と、
電力需要家毎に、出力要求に応じて蓄電システムから出力できる最大電力量ＰＨＭＡＸ［Ｗｈ］を決定する最大電力量決定手段と、
前記電力需要家毎に、出力要求に応じて前記蓄電システムから出力できる最大電力ＰＭＡＸ［Ｗ］を決定する最大電力決定手段と、
前記電力需要家毎に、出力要求に応じて前記蓄電システムから出力させる出力電力ＰＲＥＳ［Ｗ］の時間関数としてａ×Ｘ（ｔ）を決定し、ＰＨＭＡＸで表される第１の条件、ＰＭＡＸで表される第２の条件、及び、第３の条件である「０≦ａ≦１」を満たすように、ａの値を決定する出力電力決定手段と、
を有する電力管理システムが提供される。【００１３】
また、本発明によれば、
出力要求時間帯における出力要求電力ＰＤＥＭ［Ｗ］の時間関数であるＸ（ｔ）を取得する取得手段と、
電力需要家毎に、出力要求に応じて蓄電システムから出力できる最大電力量ＰＨＭＡＸ［Ｗｈ］を決定する最大電力量決定手段と、
前記電力需要家毎に、出力要求に応じて前記蓄電システムから出力できる最大電力ＰＭＡＸ［Ｗ］を決定する最大電力決定手段と、
前記電力需要家毎に、出力要求に応じて前記蓄電システムから出力させる出力電力ＰＲＥＳ［Ｗ］の時間関数としてａ×Ｘ（ｔ）を決定し、ＰＨＭＡＸで表される第１の条件、ＰＭＡＸで表される第２の条件、及び、第３の条件である「０≦ａ≦１」を満たすように、ａの値を決定する出力電力決定手段と、
を有する電力制御装置が提供される。【００１４】
また、本発明によれば、
コンピュータが、
出力要求時間帯における出力要求電力ＰＤＥＭ［Ｗ］の時間関数であるＸ（ｔ）を取得する取得工程と、
電力需要家毎に、出力要求に応じて蓄電システムから出力できる最大電力量ＰＨＭＡＸ［Ｗｈ］を決定する最大電力量決定工程と、
前記電力需要家毎に、出力要求に応じて前記蓄電システムから出力できる最大電力ＰＭＡＸ［Ｗ］を決定する最大電力決定工程と、
前記電力需要家毎に、出力要求に応じて前記蓄電システムから出力させる出力電力ＰＲＥＳ［Ｗ］の時間関数としてａ×Ｘ（ｔ）を決定し、ＰＨＭＡＸで表される第１の条件、ＰＭＡＸで表される第２の条件、及び、第３の条件である「０≦ａ≦１」を満たすように、ａの値を決定する出力電力決定工程と、
を実行する電力管理方法が提供される。【００１５】
また、本発明によれば、
コンピュータを、
出力要求時間帯における出力要求電力ＰＤＥＭ［Ｗ］の時間関数であるＸ（ｔ）を取得する取得手段、
電力需要家毎に、出力要求に応じて蓄電システムから出力できる最大電力量ＰＨＭＡＸ［Ｗｈ］を決定する最大電力量決定手段、
前記電力需要家毎に、出力要求に応じて前記蓄電システムから出力できる最大電力ＰＭＡＸ［Ｗ］を決定する最大電力決定手段、
前記電力需要家毎に、出力要求に応じて前記蓄電システムから出力させる出力電力ＰＲＥＳ［Ｗ］の時間関数としてａ×Ｘ（ｔ）を決定し、ＰＨＭＡＸで表される第１の条件、ＰＭＡＸで表される第２の条件、及び、第３の条件である「０≦ａ≦１」を満たすように、ａの値を決定する出力電力決定手段、
として機能させるプログラムが提供される。
【発明の効果】
【００１６】
本発明によれば、電気事業者からの出力要求の一部に応じる場合であっても、残分に対する出力制御が比較的容易になる。
【図面の簡単な説明】
【００１７】
上述した目的、およびその他の目的、特徴および利点は、以下に述べる好適な実施の形態、およびそれに付随する以下の図面によってさらに明らかになる。【００１８】
【図１】本実施形態の電力管理システムの機能ブロック図の一例である。
【図２】本実施形態の電力制御装置のハードウエア構成の一例を示す図である。
【図３】本実施形態の電力制御装置の機能ブロック図の一例である。
【図４】本実施形態の出力要求電力ＰＤＥＭ［Ｗ］の一例を示す図である。
【図５】本実施形態の電力管理システムの処理の流れの一例を示すフロー図である。
【図６】本実施形態における出力要求に応じてもらえなかった残分［Ｗ］の一例を示す図である。
【図７】参考例における出力要求に応じてもらえなかった残分［Ｗ］の一例を示す図である。
【図８】本実施形態の電力制御装置の機能ブロック図の一例である。
【図９】本実施形態の電力需要家システムの機能ブロック図の一例である。
【図１０】本実施形態の電力管理システムの処理の流れの一例を示すフロー図である。
【発明を実施するための形態】
【００１９】
＜第１の実施形態＞
最初に、図１を用いて本実施形態の電力管理システムの全体像及び概要を説明する。電力管理システムは、電力制御装置１０と、複数の電力需要家システム２０と、依頼者システム３０とを有する。依頼者システム３０は複数であってもよい。
【００２０】
電力需要家システム２０は、電力需要家のためのシステムである。電力需要家システム２０は、蓄電システム、及び、エネルギー制御装置（例：ＨＥＭＳ（home energy management system）、ＢＥＭＳ（building management system）、ＦＥＭＳ（factory management system）、ＣＥＭＳ（community management system）等）を含む。
【００２１】
エネルギー制御装置及び蓄電システムは、電力需要家内のＬＡＮ（local area network）に接続し、通信可能になっている。蓄電システムは、外部装置（エネルギー制御装置、電力制御装置１０等）から受信した制御情報に基づき、充放電を制御することができる。
【００２２】
電力制御装置１０は、デマンドレスポンスサービスを提供する事業者（リソースアグリゲータ）のための装置である。電力制御装置１０は、クラウドサーバであってもよい。電力制御装置１０は、インターネット等の通信ネットワークを介して、電力需要家システム２０や依頼者システム３０と通信する。
【００２３】
電力制御装置１０は、電気事業者からの出力要求（蓄電システムから電力系統への電力供給の要求）を受信する。また、電力制御装置１０は、複数の電力需要家システム２０を制御する。具体的には、電力制御装置１０は、電気事業者からの出力要求に応じて、電力需要家システム２０ごとに出力要求に応じて蓄電システムから出力させる出力電力[Ｗ]の時間変化を決定する。そして、電力制御装置１０は、決定した内容通りに出力するように電力需要家システム２０を制御する。
【００２４】
依頼者システム３０は、電気事業者のためのシステムである。依頼者システム３０は、インターネット等の通信ネットワークを介して、電力制御装置１０と通信する。依頼者システム３０は、電力制御装置１０に出力要求を送信する。
【００２５】
上述のような機能を有する電力需要家システム２０及び依頼者システム３０の構成は、従来技術に準じて実現できる。以下、電力制御装置１０の構成を詳細に説明する。
【００２６】
まず、電力制御装置１０のハードウエア構成の一例について説明する。本実施形態の電力制御装置１０が備える各機能部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００２７】
図２は、本実施形態の電力制御装置１０のハードウエア構成を例示するブロック図である。図２に示すように、電力制御装置１０は、プロセッサ１Ａ、メモリ２Ａ、入出力インターフェイス３Ａ、周辺回路４Ａ、バス５Ａを有する。周辺回路４Ａには、様々なモジュールが含まれる。なお、電力制御装置１０は物理的及び／又は論理的に分かれた複数の装置で構成されてもよい。この場合、複数の装置各々が、プロセッサ１Ａ、メモリ２Ａ、入出力インターフェイス３Ａ、周辺回路４Ａ、バス５Ａを有してもよい。
【００２８】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵやＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（例：キーボード、マウス、マイク、物理キー、タッチパネルディスプレイ、コードリーダ等）、外部装置、外部サーバ、外部センサ等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【００２９】
次に、電力制御装置１０の機能構成を説明する。図３に電力制御装置１０の機能ブロック図の一例を示す。図示するように、電力制御装置１０は、取得部１１と、最大電力量決定部１２と、最大電力決定部１３と、出力電力決定部１４とを有する。
【００３０】
取得部１１は、依頼者システム３０から出力要求を受信する。出力要求には、出力要求時間帯を示す情報、及び、出力要求時間帯における出力要求電力ＰＤＥＭ［Ｗ］の時間関数Ｘ（ｔ）が含まれる。例えば、取得部１１は、前日に翌日分の出力要求を受信する。
【００３１】
図４に、出力要求電力ＰＤＥＭ［Ｗ］の時間関数Ｘ（ｔ）の一例を示す。縦軸が電力、横軸が時間である。t=ｔ０が出力要求時間帯の開始時点であり、t=ｔ１が出力要求時間帯の終了時点である。
【００３２】
なお、本明細書において、「取得」とは、自装置が他の装置や記憶媒体に格納されているデータまたは情報を取りに行くこと（能動的な取得）、たとえば、他の装置にリクエストまたは問い合わせして受信すること、他の装置や記憶媒体にアクセスして読み出すこと等、および、自装置に他の装置から出力されるデータまたは情報を入力すること（受動的な取得）、たとえば、配信（または、送信、プッシュ通知等）されるデータまたは情報を受信すること等、の少なくともいずれか一方を含む。また、受信したデータまたは情報の中から選択して取得すること、または、配信されたデータまたは情報を選択して受信することも含む。
【００３３】
図３に戻り、最大電力量決定部１２は、電力需要家毎に、出力要求に応じて蓄電システムから出力できる最大電力量ＰＨＭＡＸ［Ｗｈ］を決定する。
【００３４】
最大電力量決定部１２は、「蓄電システムの充電スケジュール」と「電力需要家各々の放電スケジュール」とに基づき、ＰＨＭＡＸを決定することができる。具体的には、最大電力量決定部１２は、上記２つのスケジュールに基づき算出される「出力要求時間帯の終了時点（図４のｔ１）以降の所定のタイミングにおける蓄電システムの充電電力量［Ｗｈ］の予測値」を、ＰＨＭＡＸとすることができる。なお、所定のタイミングは、出力要求時間帯の終了時点（図４のｔ１）とするのが好ましい。この理由は、以下の作用効果の説明で述べる。
【００３５】
蓄電システムの充電スケジュールは、電力系統から受電して充電するスケジュールである。例えば、第１の時間帯（夜間。例えば２２時から５時。）に満充電まで充電するようにスケジュールされる。この場合、第１の時間帯の終了時点では、蓄電システムは満充電となる。なお、第１の時間帯に充電された電力は、第２の時間帯（昼間。例えば５時から２２時）に蓄電システムから出力され、消費される。
【００３６】
電力需要家各々の放電スケジュールは、例えば、電力需要家各々の負荷（例：家電、機械、設備など）による電力消費（自家消費）の時間変化の予測である。例えば、電力需要家各々の過去の実績や、当日の属性（例：月、曜日、天気、気温等）等に基づいて算出することができる。電力需要家各々の放電スケジュールは、電力需要家各々の自家消費分と、その他の放電イベントに応じて蓄電システムから出力される分（例：その他のデマンドレスポンスのために蓄電システムから出力される分）とを足し合わせた時間変化の予測であってもよい。ここでの放電スケジュールには、取得部１１が取得した出力要求に応じた出力分は考慮されていない。このような放電スケジュールの算出手法は設計的事項である。
【００３７】
このような充電スケジュール及び放電スケジュールを用いて、蓄電システムの充放電スケジュールを生成することができる。そして、生成された充放電スケジュールに基づき特定される上記所定のタイミングにおける蓄電システムの充電電力量［Ｗｈ］を、上記予測値とすることができる。
【００３８】
蓄電システムの充放電スケジュールは、例えば次のような前提の基で生成される。
【００３９】
「充電スケジュールに従い、第１の時間帯に蓄電システムに充電する。」
「第２の時間帯においては、蓄電システムの充電電力が残っている間、放電スケジュールで示される放電電力分を蓄電システムから出力する。」
【００４０】
最大電力決定部１３は、電力需要家毎に、出力要求に応じて蓄電システムから出力できる最大電力ＰＭＡＸ［Ｗ］を決定する。ＰＭＡＸ［Ｗ］は、「蓄電システムの定格出力（ＰＣＳ（power conditioning system）の定格出力）」から、「電力需要家の負荷（例：家電、機械、設備など）による電力消費のために出力する分」を差し引いたものである。
【００４１】
ＰＭＡＸ［Ｗ］は時間関数で示すことができる。ここで、蓄電システムの定格出力［Ｗ］をＲ、各電力需要家の上記放電スケジュールで示される放電電力ＰＣＯＮ［Ｗ］の時間関数をＹ（ｔ）とする。この場合、ＰＭＡＸの時間関数をＲ−Ｙ（ｔ）とすることができる。
【００４２】
出力電力決定部１４は、電力需要家毎に、出力要求に応じて蓄電システムから出力させる出力電力ＰＲＥＳ［Ｗ］の時間関数としてａ×Ｘ（ｔ）を決定する。また、出力電力決定部１４は、第１乃至第３の条件を満たすように、電力需要家毎にａの値を決定する。
【００４３】
第１の条件は、ＰＨＭＡＸで表される。第１の条件は、「ｔ＝ｔ０（出力要求時間帯の開始時点）からｔ＝ｔ１（出力要求時間帯の終了時点）までのａ×Ｘ（ｔ）の積分値がＰＨＭＡＸ以下」である。
【００４４】
第２の条件は、ＰＭＡＸで表される。第２の条件は、「すべての子時間帯において、ａ×Ｘ（ｔ）の統計値がＰＭＡＸの統計値以下」である。
【００４５】
子時間帯は、出力要求時間帯を所定時間（例：５分毎、１０分毎、１５分毎、３０分毎）毎に分割したものである。統計値の種類としては、平均値、最頻値、中央値等が例示されるが、その他であってもよい。ａ×Ｘ（ｔ）の統計値とＰＭＡＸの統計値は、同じ種類の統計値である。
【００４６】
なお、第２の条件は、「すべての時間ｔにおいて、ａ×Ｘ（ｔ）がＰＭＡＸ以下」であってもよい。
【００４７】
第３の条件は、「０≦ａ≦１」である。
【００４８】
なお、出力電力決定部１４は、さらに第４の条件を満たすようにａの値を決定してもよい。第４の条件は、「複数の電力需要家各々のａの値の合計が１以下」である。
【００４９】
第１乃至第３の条件は「実現可能な制御内容を電力需要家システム２０毎に決定するための条件」である。一方、第４の条件は「電力系統の安定を実現するための条件」である。
【００５０】
出力電力決定部１４は、例えば、電力需要家毎に、第１の条件乃至第３の条件を満たす最大の値ａＭＡＸを算出することができる。そして、複数の電力需要家各々のａＭＡＸの合計が１を超えない場合、出力電力決定部１４は、電力需要家各々のａとして各々のａＭＡＸを決定することができる。
【００５１】
一方、複数の電力需要家各々のａＭＡＸの合計が１を超える場合、出力電力決定部１４は、（１）電力需要家各々のａとして各々のａＭＡＸから減縮した値を決定する、又は、（２）電力需要家の一部のａとして各々のａＭＡＸを決定し、他の電力需要家のａとして０を決定する、ことで、第４の条件を満たすように電力需要家各々のａを決定することができる。
【００５２】
ここで、（１）の減縮の手法を例示する。
【００５３】
「減縮例１」
出力電力決定部１４は、複数の電力需要家各々のａＭＡＸの合計が１を超える場合、各電力需要家のａをｋ×ａＭＡＸに決定する。なお、０＜ｋ＜１である。
【００５４】
当該例では、ｋの値をすべての電力需要家において共通とする。すなわち、すべての電力需要家に同じ減縮率を適用する。
【００５５】
そして、出力電力決定部１４は、複数の電力需要家各々のａの値の合計が１以下となるようにｋの値を決定する。例えば、出力電力決定部１４は、ｋとして、複数の電力需要家各々のｋ×ａＭＡＸの合計が１以下を満たす中の最大の値を採用してもよい。
【００５６】
「減縮例２」
出力電力決定部１４は、複数の電力需要家各々のａＭＡＸの合計が１を超える場合、各電力需要家のａをｋ×ａＭＡＸに決定する。なお、０＜ｋ＜１である。
【００５７】
当該例では、優先度の相対的に高い電力需要家のｋの値を、優先度の相対的に低い電力需要家のｋの値よりも大きくする。例えば、各電力需要家のｋとして、（重み付け値）×ｍを決定してもよい。重み付け値は、電力需要家毎に決定される値である。ｍはすべての電力需要家に共通に適用される値である。
【００５８】
出力電力決定部１４は、複数の電力需要家各々の（重み付け値）×ｍ×ａＭＡＸの合計が１以下となるようにｍの値を決定する。例えば、出力電力決定部１４は、ｍとして、複数の電力需要家各々の（重み付け値）×ｍ×ａＭＡＸの合計が１以下を満たす中の最大の値を採用してもよい。
【００５９】
ここで、優先度（例：上記重み付け値）を決定する方法の一例を説明するが、これに限定されない。
【００６０】
「優先度決定例１」
出力電力決定部１４は、出力要求時間帯における「各電力需要家が連系しているローカル系統（配電）の空き具合」に応じて優先度を決定する。空きが大きいローカル系統に繋がっている電力需要家ほど、高い優先度が決定される。空き具合は、例えば、各ローカル系統の電圧上限値（許容される電圧の上限値）から出力要求時間帯における電圧値の予測値を引いた値の大小で示される。当該例の場合、算出された値が大きいほど空きが大きいこととなる。このように優先度を決定することで、ローカル系統への影響を最小化できる。
【００６１】
「優先度決定例２」
出力電力決定部１４は、蓄電システムの充放電効率が高い電力需要家ほど高い優先度を決定する。このように優先度を決定することでエネルギーを有効活用できる。
【００６２】
「優先度決定例３」
出力電力決定部１４は、上記放電スケジュール（例：放電電力ＰＣＯＮ［Ｗ］＝Ｙ（ｔ））の予測精度が高い電力需要家ほど高い優先度を決定する。なお、予測精度は、過去のデマンドレスポンス参加時の制御精度や成功率に置き代えてもよい。これらは、過去の実績に基づき算出することができる。このように優先度を決定することで、出力要求に応じて決定した蓄電システムの制御内容と、蓄電システムの実際の出力との乖離を小さくすることができる。すなわち、決定した制御内容通りに蓄電システムから出力させる精度が高くなる。
【００６３】
「優先度決定例４」
出力電力決定部１４は、最後にデマンドレスポンスに参加した日時が古い電力需要家ほど高い優先度を決定する。このように優先度を決定することで、複数の電力需要家に均等にデマンドレスポンスに参加する機会を与えることができる。
【００６４】
「優先度決定例５」
出力電力決定部１４は、過去一定期間内にデマンドレスポンスで生じた利益が小さい電力需要家ほど高い優先度を決定する。このように優先度を決定することで、複数の電力需要家に均等にデマンドレスポンスの利益を与えることができる。
【００６５】
「優先度決定例６」
出力電力決定部１４は、優先度決定例１乃至５の中の複数を組み合わせて、優先度を決定する。
【００６６】
次に、上記（２）において、ａとしてａＭＡＸを決定する電力需要家を決定する方法を説明する。
【００６７】
出力電力決定部１４は、任意の手段で、複数の電力需要家に優先度を決定する。例えば、上述した手法を採用してもよい。そして、出力電力決定部１４は、優先度の高い電力需要家から順にａとして各々のａＭＡＸを決定する。出力電力決定部１４は、ａとして決定されたａＭＡＸの合計が１以下を満たす間、優先度の高い電力需要家から順にａとして各々のａＭＡＸを決定する。そして、出力電力決定部１４は、ａとして各々のａＭＡＸを決定されなかった残りの電力需要家のａとして０を決定する。
【００６８】
ここで、本実施形態の電力制御装置１０の変形例を説明する。電力制御装置１０は、依頼者システム３０から出力要求を受信する毎に、複数の電力需要家の中から出力要求に応じる電力需要家を抽出する抽出部を有してもよい。
【００６９】
そして、最大電力量決定部１２は、抽出された電力需要家毎に、出力要求に応じて蓄電システムから出力できる最大電力量ＰＨＭＡＸ［Ｗｈ］を決定してもよい。すなわち、最大電力量決定部１２は、抽出されなかった電力需要家の最大電力量ＰＨＭＡＸ［Ｗｈ］を決定しなくてもよい。
【００７０】
また、最大電力決定部１３は、抽出された電力需要家毎に、出力要求に応じて蓄電システムから出力できる最大電力ＰＭＡＸ［Ｗ］を決定してもよい。すなわち、最大電力決定部１３は、抽出されなかった電力需要家の最大電力ＰＭＡＸ［Ｗ］を決定しなくてもよい。
【００７１】
また、出力電力決定部１４は、抽出された電力需要家毎に、出力電力ＰＲＥＳ［Ｗ］の時間関数としてａ×Ｘ（ｔ）を決定するとともに、ａの値を決定してもよい。すなわち、出力電力決定部１４は、抽出されなかった電力需要家の出力電力ＰＲＥＳ［Ｗ］の時間関数、及び、ａの値を決定しなくてもよい。
【００７２】
ここで、
各電力需要家の第２の時間帯の売電単価をＶ１、
デマンドレスポンスの依頼者（電気事業者）からの出力要求に応じて電力を出力し、出力した分を当該依頼者に販売する際の売電単価をＶ２、
各電力需要家の第１の時間帯の買電単価をＶ３、
各電力需要家の第２の時間帯の買電単価をＶ４、
とする。
【００７３】
第１の時間帯及び第２の時間帯は、上記蓄電システムの充電スケジュールで説明した通りである。
【００７４】
売電単価Ｖ１は、電気事業者からの出力要求がない通常状態において、各電力需要家が電気事業者（出力要求を行った電気事業者と同じであってもよいし異なってもよい）に売電する場合の価格である。売電単価Ｖ２は、電気事業者からの出力要求がある特別状態において、各電力需要家が電気事業者（出力要求を行った電気事業者）に売電する場合の価格である。
【００７５】
買電単価Ｖ３は、各電力需要家が契約している電気事業者（出力要求を行った電気事業者と同じであってもよいし異なってもよい）から第１の時間帯に買電する場合の価格である。買電単価Ｖ４は、各電力需要家が契約している電気事業者（出力要求を行った電気事業者と同じであってもよいし異なってもよい）から第２の時間帯に買電する場合の価格である。
【００７６】
抽出部は、例えば、「Ｖ２＞ｍａｘ（Ｖ１、Ｖ４）」を満たす電力需要家を抽出する。抽出部は、上記条件に加えて「Ｖ２＞Ｖ３」を満たす電力需要家を抽出してもよい。
【００７７】
このような条件で出力要求に応じる電力需要家を抽出し、抽出した電力需要家のみ出力要求に応じさせることで、出力要求に応じることによる電力需要家の利益を確保できる。
【００７８】
なお、このような抽出を行わない場合であっても、出力要求に応じて制御した電力需要家に何らかのインセンティブを与えることで、電力需要家の利益を確保することもできる。
【００７９】
また、上述した「蓄電システムの充電スケジュール」及び「電力需要家各々の放電スケジュール」は、電力制御装置１０が生成してもよいし、各電力需要家システム２０が生成してもよい。各電力需要家システム２０が生成する場合、電力制御装置１０は各電力需要家システム２０により生成された上記スケジュールを取得する。
【００８０】
次に、本実施形態の電力管理システムの処理の流れの一例を説明する。
【００８１】
図５は、本実施形態の電力管理システムの処理の流れの一例を示すフロー図である。Ｓ１０では、電力制御装置１０は、電気事業者から受信した出力要求に含まれる電力買取価格に基づいて、出力要求に応じる（ＤＲ参加する）ことで利益が得られる電力需要家を抽出する。
【００８２】
例えば、予め、電力需要家毎に上述した売電単価Ｖ１、買電単価Ｖ３及び買電単価Ｖ４が電力制御装置１０に登録されている。出力要求に含まれる電力買取価格が上述した売電単価Ｖ２に相当する。電力制御装置１０は、「Ｖ２＞ｍａｘ（Ｖ１、Ｖ４）」を満たす電力需要家、又は、上記条件に加えて「Ｖ２＞Ｖ３」を満たす電力需要家を抽出する。
【００８３】
Ｓ１１では、電力制御装置１０は、抽出された電力需要家毎に、上述した第１の条件乃至第３の条件を満たす最大の値ａＭＡＸを算出する。
【００８４】
Ｓ１２では、電力制御装置１０は、抽出された電力需要家毎に算出したａＭＡＸの合計ａｔｏｔａｌを算出する。
【００８５】
Ｓ１３では、電力制御装置１０は、ａｔｏｔａｌと１との大小関係に応じた手法で、各電力需要家のａを決定する。
【００８６】
ａｔｏｔａｌが１より大きい場合、電力制御装置１０は、電力需要家各々のａとして各々のａＭＡＸから減縮した値を決定してもよい。その他、ａｔｏｔａｌが１より大きい場合、電力制御装置１０は、電力需要家の一部のａとして各々のａＭＡＸを決定し、他の電力需要家のａとして０を決定してもよい。
【００８７】
一方、ａｔｏｔａｌが１以下である場合、電力制御装置１０は、電力需要家各々のａとして各々のａＭＡＸを決定する。
【００８８】
Ｓ１４では、電力制御装置１０は、出力要求に応じた制御内容を示す情報を、Ｓ１０で抽出した電力需要家の電力需要家システム２０に送信する。送信される情報は、出力要求時間帯を示す情報、出力電力ＰＲＥＳ［Ｗ］の時間関数ａ×Ｘ（ｔ）、ａの値等を含む。電力需要家システム２０は、受信した情報に従い蓄電システムを制御する。
【００８９】
次に、本実施形態の作用効果を説明する。
【００９０】
本実施形態では、電気事業者からの出力要求における出力要求電力ＰＤＥＭ［Ｗ］の時間関数がＸ（ｔ）である場合、出力要求に応じて蓄電システムから出力させる出力電力ＰＲＥＳ［Ｗ］の時間関数としてａ×Ｘ（ｔ）を決定することができる。そして、上述した第１乃至第３の条件を満たすように電力需要家毎にａの値を決定することができる。
【００９１】
このように各電力需要家の出力電力ＰＲＥＳ［Ｗ］を決定する場合、電気事業者からの出力要求の一部のみに応じる場合であっても、出力要求時間帯の中で、出力要求に応じてもらえる時間帯、及び、出力要求に応じてもらえない時間帯が混在することはない。また、出力要求に応じてもらえる時間帯の中で、出力要求に応じてもらえる割合（出力要求電力の内の要求に応じてもらえる電力の割合）が異なることもない。
【００９２】
本実施形態の場合、出力要求に応じてもらえず残った電力（残分）の時間変化は、ｂ×Ｘ（ｔ）で表すことができる（０＜ｂ＜１）。すなわち、残分の時間変化は、出力要求電力ＰＤＥＭ［Ｗ］の時間関数Ｘ（ｔ）を圧縮したものとなる。例えば、出力要求電力ＰＤＥＭ［Ｗ］の時間関数Ｘ（ｔ）が図４で示される場合、残分ＰＤＥＭ・ｌｅｆｔ［Ｗ］の時間関数ｂ×Ｘ（ｔ）の一例は図６で示される。
【００９３】
一方、出力要求に応じてもらえる時間帯、及び、出力要求に応じてもらえない時間帯が混在する場合の残分ＰＤＥＭ・ｌｅｆｔ［Ｗ］の一例は図７で示される。図７では、ｔ＝ｔ２からｔ＝ｔ３までは出力要求に１００％応じてもらえ、その他の時間帯は出力要求に全く応じてもらえない例を示す。
【００９４】
図示するように、残分ＰＤＥＭ・ｌｅｆｔ［Ｗ］は急激な増加や減少を含み得る。具体的には、ｔ＝ｔ２の前後での減少量、及び、ｔ＝ｔ３の前後での増加量が大きくなっている。
【００９５】
また、この場合、出力要求に応じてもらえたｔ＝ｔ２からｔ＝ｔ３の時間帯において、蓄電システムの充電電力が０になった電力需要家が発生し得る。この場合、ｔ＝ｔ３以降の時間帯において、このような電力需要家の電力消費分（＋α）は、蓄電システムからの電力でなく、電力系統からの電力で賄われることとなる。すなわち、電気事業者は、ｔ＝ｔ３以降の時間帯においては、残分ＰＤＥＭ・ｌｅｆｔのみならず、上述した「＋α」分も、いずれかの発電システムで出力しなければならない。この場合、図より、ｔ＝ｔ３の前後での増加量がさらに大きくなることが分かる。
【００９６】
すなわち、ＰＤＥＭ・ｌｅｆｔ＋α［Ｗ］は、ＰＤＥＭ・ｌｅｆｔ［Ｗ］よりも急激な増加や減少を含み得る。このため、発電システムでこれに応じた出力を行うのは困難となる。
【００９７】
本実施形態によれば、このような不都合を回避できる。
【００９８】
また、本実施形態では、最大電力量決定部１２は、「蓄電システムの充電スケジュール」と「電力需要家各々の放電スケジュール」とに基づき算出される「出力要求時間帯の終了時点（図４のｔ１）以降の所定のタイミングにおける蓄電システムの充電電力量［Ｗｈ］の予測値」を、ＰＨＭＡＸとすることができる。
【００９９】
「出力要求時間帯の終了時点（図４のｔ１）より前の所定のタイミングにおける蓄電システムの充電電力量［Ｗｈ］の予測値」をＰＨＭＡＸとして、出力電力ＰＲＥＳ［Ｗ］の時間関数ａ×Ｘ（ｔ）のａを決定した場合、出力要求時間帯の終了時点（図４のｔ１）より前の段階で、蓄電システムの電力がなくなり得る。この場合、それ以降、蓄電システムからの出力ができない。このように、ＰＨＭＡＸを決定する手法を間違うと、決定した内容通りに蓄電システムを制御する精度が低くなる。本実施形態では、適切な手法でＰＨＭＡＸを決定することができるので、決定した内容通りに蓄電システムを制御する精度が高くなる。
【０１００】
なお、最大電力量決定部１２は、上記所定のタイミングとして、出力要求時間帯の終了時点（図４のｔ１）を採用することができる。このようにした場合、決定した内容通りに蓄電システムを制御する精度を高く保ちつつ、電力需要家が電気事業者に売電する量（出力要求に応じて出力する量）を最大にすることができる。結果、電力需要家の利益を最大にすることができる。
【０１０１】
また、本実施形態では、電力需要家毎にａを決定することができる。すなわち、電力需要家毎に、出力要求に応じて蓄電システムから出力させる電力のスケジュール（ＰＲＥＳ［Ｗ］＝ａ×Ｘ（ｔ））を決定することができる。このようにすることで、より実現性の高い出力電力のスケジュールを決定することができる。結果、決定した内容通りに蓄電システムを制御する精度が高くなる。
【０１０２】
また、本実施形態では、上述した第４の条件を満たすように、電力需要家毎にａを決定することができる。第４の条件は「電力系統の安定を実現するための条件」である。第４の条件を満たすことで、電力系統に大量の電力が流れ込み、電力過多状態となる不都合を回避できる。
【０１０３】
また、本実施形態では、上述した第１乃至第４の条件を満たす範囲で最大の値をａの値として決定することができる。この場合、出力要求に応じて蓄電システムから出力する電力を最大化することができる。結果、電力需要家の利益を十分に確保できる。
【０１０４】
＜第２の実施形態＞
本実施形態では、第１の実施形態の電力制御装置１０が行った演算処理の一部を、各電力需要家システム２０（例えば、エネルギー制御装置）が行う。その他の構成は、第
１の実施形態と同様である。
【０１０５】
図８に、本実施形態の電力制御装置１０の機能ブロック図の一例を示す。図示するように、電力制御装置１０は、取得部１１と、第１の出力電力決定部１４−１とを有する。本実施形態の電力制御装置１０は、最大電力量決定部１２及び最大電力決定部１３を有さない点で、第１の実施形態と異なる。
【０１０６】
図９に、本実施形態の電力需要家システム２０の機能ブロック図の一例を示す。図示するように、電力需要家システム２０は、最大電力量決定部１２と、最大電力決定部１３と、第２の出力電力決定部１４−２とを有する。
【０１０７】
取得部１１、最大電力量決定部１２及び最大電力決定部１３の機能構成は、第１の実施形態と同様である。
【０１０８】
第１の出力電力決定部１４−１及び第２の出力電力決定部１４−２は、出力電力決定部１４の一部の機能を有する。第２の出力電力決定部１４−２は、第１の条件乃至第３の条件を満たす最大の値ａＭＡＸを算出する。そして、第１の出力電力決定部１４−１は、複数の電力需要家各々のａＭＡＸに基づき、第４の条件を満たすように各電力需要家のａを決定する。
【０１０９】
図１０は、本実施形態の電力管理システムの処理の流れの他の一例を示すフロー図である。Ｓ２０では、電力制御装置１０は、電気事業者から受信した出力要求に含まれる電力買取価格から、出力要求に応じる（ＤＲ参加する）ことで利益が得られる電力需要家を抽出する。
【０１１０】
例えば、予め、電力需要家毎に上述した売電単価Ｖ１、買電単価Ｖ３及び買電単価Ｖ４が電力制御装置１０に登録されている。出力要求に含まれる電力買取価格が上述した売電単価Ｖ２に相当する。電力制御装置１０は、「Ｖ２＞ｍａｘ（Ｖ１、Ｖ４）」を満たす電力需要家、又は、上記条件に加えて「Ｖ２＞Ｖ３」を満たす電力需要家を抽出する。
【０１１１】
Ｓ２１では、電力制御装置１０は、抽出した電力需要家の電力需要家システム２０に、出力要求に含まれる出力要求時間帯を示す情報、及び、出力要求時間帯における出力要求電力ＰＤＥＭ［Ｗ］の時間関数Ｘ（ｔ）を送信する。
【０１１２】
Ｓ２２では、上記情報を受信した各電力需要家システム２０は、上述した第１の条件乃至第３の条件を満たす最大の値ａＭＡＸを算出し、電力制御装置１０に送信する。
【０１１３】
Ｓ２３では、電力制御装置１０は、電力需要家毎各々から受信したａＭＡＸの合計ａｔｏｔａｌを算出する。
【０１１４】
Ｓ２４では、電力制御装置１０は、ａｔｏｔａｌと１との大小関係に応じた手法で、各電力需要家のａを決定する。
【０１１５】
ａｔｏｔａｌが１より大きい場合、電力制御装置１０は、電力需要家各々のａとして各々のａＭＡＸから減縮した値を決定してもよい。その他、ａｔｏｔａｌが１より大きい場合、電力制御装置１０は、電力需要家の一部のａとして各々のａＭＡＸを決定し、他の電力需要家のａとして０を決定してもよい。
【０１１６】
一方、ａｔｏｔａｌが１以下である場合、電力制御装置１０は、電力需要家各々のａとして各々のａＭＡＸを決定する。
【０１１７】
Ｓ２５では、電力制御装置１０は、出力要求に応じた制御内容を示す情報を、Ｓ２０で抽出した電力需要家の電力需要家システム２０に送信する。送信される情報は、ａの値等を含む。電力需要家システム２０は、受信した情報に従い蓄電システムを制御する。
【０１１８】
本実施形態によれば、第１の実施形態と同様の作用効果を実現できる。また、演算処理の一部を各電力需要家システム２０で行うことで、電力制御装置１０の処理負担を軽減できる。
【０１１９】
以下、参考形態の例を付記する。
１．  出力要求時間帯における出力要求電力ＰＤＥＭ［Ｗ］の時間関数であるＸ（ｔ）を取得する取得手段と、
電力需要家毎に、出力要求に応じて蓄電システムから出力できる最大電力量ＰＨＭＡＸ［Ｗｈ］を決定する最大電力量決定手段と、
前記電力需要家毎に、出力要求に応じて前記蓄電システムから出力できる最大電力ＰＭＡＸ［Ｗ］を決定する最大電力決定手段と、
前記電力需要家毎に、出力要求に応じて前記蓄電システムから出力させる出力電力ＰＲＥＳ［Ｗ］の時間関数としてａ×Ｘ（ｔ）を決定し、ＰＨＭＡＸで表される第１の条件、ＰＭＡＸで表される第２の条件、及び、第３の条件である「０≦ａ≦１」を満たすように、ａの値を決定する出力電力決定手段と、
を有する電力管理システム。
２．  １に記載の電力管理システムにおいて、
前記最大電力量決定手段は、
前記電力需要家毎に、前記蓄電システムの充電スケジュールと前記電力需要家各々の放電スケジュールとに基づき前記出力要求時間帯の終了時点以降の所定のタイミングにおける前記蓄電システムの充電電力量［Ｗｈ］の予測値を算出し、前記予測値をＰＨＭＡＸとして決定する電力管理システム。
３．  ２に記載の電力管理システムにおいて、
前記最大電力量決定手段は、
前記出力要求時間帯の終了時点における前記蓄電システムの充電電力量の予測値をＰＨＭＡＸとして決定する電力管理システム。
４．  １から３のいずれかに記載の電力管理システムにおいて、
前記蓄電システムの定格出力［Ｗ］をＲ、前記放電スケジュールで示される前記電力需要家の消費電力ＰＣＯＮ［Ｗ］の時間関数をＹ（ｔ）とした場合、
前記最大電力決定手段は、Ｒ−Ｙ（ｔ）をＰＭＡＸとして決定する電力管理システム。
５．  １から４のいずれかに記載の電力管理システムにおいて、
前記出力要求時間帯の開始時点をｔ０、終了時点をｔ１とした場合、
前記出力電力決定手段は、前記電力需要家毎に、前記第１の条件である「ｔ＝ｔ０からｔ＝ｔ１までのａ×Ｘ（ｔ）の積分値がＰＨＭＡＸ以下」を満たすようにａの値を決定する電力管理システム。
６．  １から５のいずれかに記載の電力管理システムにおいて、
前記出力電力決定手段は、前記出力要求時間帯に含まれる複数の子時間帯毎に、ａ×Ｘ（ｔ）の統計値、及び、ＰＭＡＸの統計値を算出し、前記第２の条件である「すべての前記子時間帯において、ａ×Ｘ（ｔ）の統計値がＰＭＡＸの統計値以下」を満たすようにａの値を決定する電力管理システム。
７．  １から５のいずれかに記載の電力管理システムにおいて、
前記出力電力決定手段は、前記第２の条件である「すべての時間において、ａ×Ｘ（ｔ）がＰＭＡＸ以下」を満たすようにａの値を決定する電力管理システム。
８．  １から７のいずれかに記載の電力管理システムにおいて、
前記出力電力決定手段は、第４の条件である「複数の前記電力需要家各々のａの値の合計が１以下」を満たすようにａの値を決定する電力管理システム。
９．  １から８のいずれかに記載の電力管理システムにおいて、
前記出力電力決定手段は、前記電力需要家毎に、前記第１の条件乃至前記第３の条件を満たす最大の値ａＭＡＸをａの値として決定する電力管理システム。
１０．  ９に記載の電力管理システムにおいて、
前記出力電力決定手段は、複数の前記電力需要家各々のａＭＡＸの合計が１を超える場合、前記電力需要家のａの値をｋ×ａＭＡＸ（０＜ｋ＜１）に決定し、ｋの値をすべての前記電力需要家において共通とする電力管理システム。
１１．  ９に記載の電力管理システムにおいて、
前記出力電力決定手段は、複数の前記電力需要家各々のａＭＡＸの合計が１を超える場合、前記電力需要家のａの値をｋ×ａＭＡＸ（０＜ｋ＜１）に決定し、優先度の相対的に高い前記電力需要家のｋの値を優先度の相対的に低い前記電力需要家のｋの値よりも大きくする電力管理システム。
１２．  ９に記載の電力管理システムにおいて、
前記出力電力決定手段は、複数の前記電力需要家各々のａＭＡＸの合計が１を超える場合、優先度の相対的に高い一部の前記電力需要家のａの値としてａＭＡＸを決定し、残りの前記電力需要家のａの値として０を決定する電力管理システム。
１３．  １から１２のいずれかに記載の電力管理システムにおいて、
前記取得手段と、前記出力電力決定手段の一部機能を有する第１の出力電力決定手段とを有する電力制御装置と、
前記最大電力量決定手段と、前記最大電力決定手段と、前記出力電力決定手段の一部機能を有する第２の出力電力決定手段とを有する複数の電力需要家システムと、
を有する電力管理システム。
１４．  出力要求時間帯における出力要求電力ＰＤＥＭ［Ｗ］の時間関数であるＸ（ｔ）を取得する取得手段と、
電力需要家毎に、出力要求に応じて蓄電システムから出力できる最大電力量ＰＨＭＡＸ［Ｗｈ］を決定する最大電力量決定手段と、
前記電力需要家毎に、出力要求に応じて前記蓄電システムから出力できる最大電力ＰＭＡＸ［Ｗ］を決定する最大電力決定手段と、
前記電力需要家毎に、出力要求に応じて前記蓄電システムから出力させる出力電力ＰＲＥＳ［Ｗ］の時間関数としてａ×Ｘ（ｔ）を決定し、ＰＨＭＡＸで表される第１の条件、ＰＭＡＸで表される第２の条件、及び、第３の条件である「０≦ａ≦１」を満たすように、ａの値を決定する出力電力決定手段と、
を有する電力制御装置。
１５．  コンピュータが、
出力要求時間帯における出力要求電力ＰＤＥＭ［Ｗ］の時間関数であるＸ（ｔ）を取得する取得工程と、
電力需要家毎に、出力要求に応じて蓄電システムから出力できる最大電力量ＰＨＭＡＸ［Ｗｈ］を決定する最大電力量決定工程と、
前記電力需要家毎に、出力要求に応じて前記蓄電システムから出力できる最大電力ＰＭＡＸ［Ｗ］を決定する最大電力決定工程と、
前記電力需要家毎に、出力要求に応じて前記蓄電システムから出力させる出力電力ＰＲＥＳ［Ｗ］の時間関数としてａ×Ｘ（ｔ）を決定し、ＰＨＭＡＸで表される第１の条件、ＰＭＡＸで表される第２の条件、及び、第３の条件である「０≦ａ≦１」を満たすように、ａの値を決定する出力電力決定工程と、
を実行する電力管理方法。
１６．  コンピュータを、
出力要求時間帯における出力要求電力ＰＤＥＭ［Ｗ］の時間関数であるＸ（ｔ）を取得する取得手段、
電力需要家毎に、出力要求に応じて蓄電システムから出力できる最大電力量ＰＨＭＡＸ［Ｗｈ］を決定する最大電力量決定手段、
前記電力需要家毎に、出力要求に応じて前記蓄電システムから出力できる最大電力ＰＭＡＸ［Ｗ］を決定する最大電力決定手段、
前記電力需要家毎に、出力要求に応じて前記蓄電システムから出力させる出力電力ＰＲＥＳ［Ｗ］の時間関数としてａ×Ｘ（ｔ）を決定し、ＰＨＭＡＸで表される第１の条件、ＰＭＡＸで表される第２の条件、及び、第３の条件である「０≦ａ≦１」を満たすように、ａの値を決定する出力電力決定手段、
として機能させるプログラム。
【０１２０】
この出願は、２０１７年６月１６日に出願された日本出願特願２０１７−１１８３６１号を基礎とする優先権を主張し、その開示の全てをここに取り込む。
【図１】
2018230019.tif 000003
【図２】
2018230019.tif 000004
【図３】
2018230019.tif 000005
【図４】
2018230019.tif 000006
【図５】
2018230019.tif 000007
【図６】
2018230019.tif 000008
【図７】
2018230019.tif 000009
【図８】
2018230019.tif 000010
【図９】
2018230019.tif 000011
【図１０】
2018230019.tif 000012
【国際調査報告】
2018230019.tif 000013
2018230019.tif 000014
2018230019.tif 000015
2018230019.tif 000016